(57)【要約】【課題】安価に製造することができ、片手かつワンタッチによって衣類に装着できるハンガーを提供する。【解決手段】ハンガー２は、フック３１と、フック３１の根元に設置され、正面視の手前側と奥側とに二股に分かれる分岐部３２と、中央部分に挿通孔３３Ａを有し、分岐部３２の下端に配置されるツマミ３４と、各ツマミ３４の対向する面に設けられる一対の突起部３５と、を備える作動部３０と、上下方向に延び、突起部３５が嵌め込まれるメインスリット４３Ｂと、メインスリット４３Ｂの両脇に設けられ、両脇の端部からメインスリット４３Ｂに向かって横方向に延び、メインスリット４３Ｂの手前において湾曲しながら下方に向きを変えてメインスリット４３Ｂに沿って延びる一対のサイドスリット４３Ａと、メインスリット４３Ｂの上方に配置される第１取手４２と、メインスリット４３Ｂの下方に配置される第２取手４４と、を有する本体部４１と、根元に根元側伸延方向に端部まで切り欠いた切り欠きを有し、先端付近にピン穴５４を有する根元部５３と、根元部５３に切り欠きを渡されるように設けられ、サイドスリット４３Ａに挿通される作動ピン５２と、を備える一対のアーム５１と、挿通孔３３Ａとピン穴５４に挿通されるピン３３と、を備える。【選択図】図６
2019202863.tif 000002
【特許請求の範囲】
【請求項１】
フックと、
前記フックの根元に設置され、正面視の手前側と奥側とに二股に分かれる分岐部と、中央部分に挿通孔を有し、前記分岐部の下端に配置されるツマミと、前記ツマミの対向する面に設けられる一対の突起部と、を備える作動部と、
上下方向に延び、前記突起部が嵌め込まれるメインスリットと、前記メインスリットの両脇に設けられ、前記メインスリットに向かって延び、前記メインスリットの手前において湾曲しながら下方に向きを変えて前記メインスリットに沿って延びる一対のサイドスリットと、を有する本体部と、
根元の先端付近にピン穴を有する根元部と、前記根元部に設けられ、前記サイドスリットに挿通される作動ピンと、を備える一対のアームと、
前記挿通孔と前記ピン穴に挿通されるピンと、
を備えるハンガー。
【請求項２】
フックと、
前記フックの根元から下方に延び、下端部に挿通孔を備える作動部と、
上下方向に延びるメインスリットと、前記メインスリットの両脇から前記メインスリットに向かって延び、前記メインスリットの手前において湾曲しながら下方に向きを変えて前記メインスリットに沿って延びる一対のサイドスリットと、を有し、上端部において互いに連結する一対の本体部と、
根元の先端付近にメインピン穴を有する根元部と、前記根元部に設けられ、前記サイドスリットに挿通される一対のサイドピンと、を備える一対のアームと、
前記挿通孔、前記メインスリット、及び前記メインピン穴に挿通されるメインピンと、
を備えるハンガー。
【請求項３】
フックと、
前記フックの根元から下方に延び、下端部に挿通孔を備える作動部と、
前記作動部とは別体、かつ、１枚の板状に形成され、上下方向に延びるメインスリットと、前記メインスリットの両脇に設けられ、前記メインスリットに向かって延び、前記メインスリットの手前において湾曲しながら下方に向きを変えて前記メインスリットに沿って延びる一対のサイドスリットと、を有する本体部と、
根元の先端付近にメインピン穴を有する根元部と、前記根元部に設けられ、前記サイドスリットに挿通される一対のサイドピンと、を備える一対のアームと、
前記挿通孔、前記メインスリット、及び前記メインピン穴に挿通されるメインピンと、
を備えるハンガー。
【請求項４】
前記作動部は、
前記挿通孔の上方に指を入れるのに十分な横幅と、前記メインスリットの上下方向の長さと等しいかより長い縦幅を有する第１指孔をさらに備え、
前記本体部は、
前記メインスリットの上方に指を入れるのに十分な大きさを有する第２指孔をさらに備える請求項３に記載のハンガー。
【請求項５】
下方に指を通すのに十分な大きさを有する第１指孔を有するフックと、
前記第１指孔の下方に配置され、指を通すのに十分な大きさを有する長孔、及び前記長孔の下方に配置される前後一対のメインピンを有する作動部と、
前記作動部とは別体、かつ、一対の板状に形成され、上方に指を通すのに十分な大きさを有する第２指孔と、前記第２指孔の下方に配置され、上下方向に延び、前記メインピンが嵌め込まれるメイン溝部と、前記メイン溝部の両脇に設けられ、前記メイン溝部に向かって延び、前記メイン溝部の手前において湾曲しながら下方に向きを変えて前記メイン溝部に沿って延びる一対のサイド溝部と、を有する本体部と、
根元の先端付近に前記メインピンが挿通されるメインピン穴を有する根元部と、前記根元部に設けられ、前記サイド溝部に嵌め込まれる一対のサイドピンと、を備える一対のアームと、
を備えるハンガー。
【請求項６】
フックと、
前記フックの下方に配置され、指を通すのに十分な大きさを有する長孔、前記長孔の下方に配置される前後一対のメインピン、及び前記メインピンの下方に配置され、下方に延びる脚部を有する作動部と、
前記作動部とは別体、かつ、一対の板状に形成され、上方に指を通すのに十分な大きさを有する指孔と、前記指孔の下方に配置され、上下方向に延び、前記メインピンが嵌め込まれるメイン溝部と、前記メイン溝部の両脇に設けられ、前記メイン溝部に向かって延び、前記メイン溝部の手前において湾曲しながら下方に向きを変えて前記メイン溝部に沿って延びる一対のサイド溝部と、を有する本体部と、
根元の先端付近に前記メインピンが挿通されるメインピン穴を有する根元部と、前記根元部に設けられ、前記サイド溝部に嵌め込まれる一対のサイドピンと、を備える一対のアームと、
を備えるハンガー。
【請求項７】
前記サイドスリットは、
前記本体部の両脇の縁において開放される請求項１から請求項４のいずれか１項に記載のハンガー。
【請求項８】
材質に紙を含む請求項１から請求項６のいずれか１項に記載のハンガー。
【発明の詳細な説明】
【技術分野】
【０００１】
本発明は、ハンガーに関する。
【背景技術】
【０００２】
衣料品を販売する店舗等において、例えば丸首のＴシャツをハンガーにかけて展示する場合、従来のハンガーを使うとＴシャツの下部からハンガーを差し入れなければならず、工数と時間がかかっていた。【０００３】
また、ハンガーを使用するときはハンガーと衣類を夫々の手で持たなければハンガーに服を掛けることが出来ない。衣類をハンガーから外す時も、ハンガーと衣類を夫々の手で持たないとどちらかが落ちてしまう。従って、ハンガーの開閉は片手で尚且つワンタッチで行う必要がある。加えて、ハンガーを手に持たず、物干し竿やハンガーラックパイプに掛けたままでの開閉が行えればより便利である。【０００４】
この点に関し、アームの付け根に、アームを開いたときに上方に位置する凹部を有する円弧状の溝部を設け、凹部に嵌まるピンをバネによって上方に付勢し、アームを開いたときにピンが凹部に嵌まることによりアームが閉じることを規制するハンガーが提案されている（例えば、特許文献１。）。【０００５】
しかし、この技術によっては、弾性体という別部材を設ける必要があり、部品代も組み立て費用もかかるために製造コストが高くなる。【０００６】
また、フックの下方に板状の作動板を設け、この作動板に縦長の溝と、この縦長の溝の左右に横方向に延びた横溝の先端に下方に屈折する縦溝を接続したＬ字型の一対の溝を設け、一対のアームの根元の孔と作動板の縦長の溝にピンを挿通し、各アームの根元の孔付近に設けられる突起を作動板のＬ字型の溝に嵌め込んだハンガーが提案されている（例えば、特許文献２。）。このハンガーは、フックを押し下げるとアームが開くことを意図したものである。【０００７】
しかし、この技術によっては、アームが閉じた状態においてアームを開くためにフックを押し下げようとしても、片手かつワンタッチによっては開けないという問題がある。これは、アームを閉じた状態において各突起が縦長の溝の付近に位置するためである。この状態において下方に力を加えても、アームを開く方向の力、つまり水平方向の分力は非常に小さいものとなる。従って、アームを開くためには、アームを開くのに必要な水平方向の分力が十分大きくなるように強い力を加えるか、アームをある程度開いて水平方向の分力を大きくする必要がある。従って、片手かつワンタッチによってはアームを開けない。【０００８】
他の説明をすれば、特許文献２のハンガーにおいては、枢軸５が支点、ガイド突起８が力点、ハンガー腕体１の先端が作用点となる。この場合、支点と力点との間の距離が、支点と作用点との間の距離に比べて短すぎる。従って、ハンガー腕体１を開くには大きな力が必要となるのである。
【先行技術文献】
【特許文献】
【０００９】
【特許文献１】実用新案登録第２５１４７１６号公報
【特許文献２】実開昭５２−１５９７２４号公報
【発明の概要】
【発明が解決しようとする課題】
【００１０】
本発明が解決しようとする課題は、安価に製造することができ、片手かつワンタッチによって衣類に装着できるハンガーを提供することである。
【課題を解決するための手段】
【００１１】
上記課題を解決するために、本発明は、フックと、前記フックの根元に設置され、正面視の手前側と奥側とに二股に分かれる分岐部と、中央部分に挿通孔を有し、前記分岐部の下端に配置されるツマミと、前記ツマミの対向する面に設けられる一対の突起部と、を備える作動部と、上下方向に延び、前記突起部が嵌め込まれるメインスリットと、前記メインスリットの両脇に設けられ、前記メインスリットに向かって延び、前記メインスリットの手前において湾曲しながら下方に向きを変えて前記メインスリットに沿って延びる一対のサイドスリットと、を有する本体部と、根元の先端付近にピン穴を有する根元部と、前記根元部に設けられ、前記サイドスリットに挿通される作動ピンと、を備える一対のアームと、前記挿通孔と前記ピン穴に挿通されるピンと、を備えるハンガーを提供する。
【発明の効果】
【００１２】
本発明によれば、安価に製造することができ、片手かつワンタッチによって衣類に装着できるハンガーを提供することができる。
【図面の簡単な説明】
【００１３】
【図１】従来例の実施形態のハンガーのアームが開いた状態の正面図。
【図２】従来例の実施形態のハンガーのアームが閉じた状態の正面図。
【図３】従来例の実施形態のハンガーの分解斜視図。
【図４】第１の実施形態のハンガーのアームが開いた状態の正面図。
【図５】第１の実施形態のハンガーのアームが閉じた状態の正面図。
【図６】第１の実施形態のハンガーの分解斜視図。
【図７】第１の実施形態の作動部の斜視図。
【図８】第１の実施形態のアームの斜視図。
【図９】第１の実施形態の本体部の斜視図。
【図１０】第１の実施形態の変形例に係るハンガーの斜視図。
【図１１】第１の実施形態の変形例に係るハンガーの分解斜視図。
【図１２】第２の実施形態のハンガーの分解斜視図。
【図１３】第２の実施形態のハンガーのアームが開いた状態の正面図。
【図１４】第３の実施形態のハンガーの分解斜視図。
【図１５】第３の実施形態のハンガーのアームを開いた状態を示す斜視図。
【図１６】第３の実施形態のハンガーのアームを閉じた状態を示す斜視図。
【図１７】第４の実施形態のハンガーのアームを開いた状態を示す正面図。
【図１８】第４の実施形態のハンガーのアームを閉じた状態の正面図。
【図１９】第４の実施形態のハンガーのアームを閉じた状態の右側面図。
【図２０】第４の実施形態のハンガーのフック部を示す図。
【図２１】第４の実施形態のハンガーのアームを示す図。
【図２２】第４の実施形態のハンガーの本体部を示す図。
【図２３】第４の実施形態のハンガーの開閉の様子を示す図。
【図２４】第４の実施形態の応用例に係るハンガーのアームを開いた状態の正面図。
【図２５】第４の実施形態の応用例に係るハンガーのアームを閉じた状態の正面図。
【図２６】第４の実施形態の応用例に係るハンガーのアームを閉じた状態の右側面図。
【図２７】脚付きフック部を示す図。
【図２８】第４の実施形態の応用例に係るハンガーのアームの開閉の様子を示す図。
【発明を実施するための形態】
【００１４】
以下、本発明の一実施形態にかかるハンガー１を、図面を参照しながら説明する。
【００１５】
（従来例の実施形態）
図１は本実施形態のハンガー１のアーム１１を開いた状態を示す正面図、図２はハンガー１のアーム１１を閉じた状態を示す正面図、図３はハンガー１の分解斜視図である。
【００１６】
図１から図３までに示すように、ハンガー１は、フック１３と、本体部１４と、一対のアーム１１と、を備える。
【００１７】
本体部１４は、フック１３の図１正面視下端部（以下、上下、左右、縦横は図１正面視に基づくものとする。）に設けられる。本体部１４は、本体部の中央部に本体部１４の上方から下方に向かって延びる貫通溝であるメインスリット１４Ａと、メインスリット１４Ａの両側に設けられる一対のサイドスリット１４Ｂと、を備える。
【００１８】
サイドスリット１４Ｂは、メインスリット１４Ａの上端部に対応する位置において、本体部１４の左右の端部付近からメインスリット１４Ａの方向に向かって延び、メインスリット１４Ａの手前において湾曲しながら向きを変えて、メインスリット１４Ａの長手方向の長さの半分程度まで下方に延びる。
【００１９】
サイドスリット１４Ｂは、湾曲する部分の下端からメインスリット１４Ａに沿って延びる部分が、メインスリット１４Ａと平行に下方に延びる。サイドスリット１４Ｂのこのメインスリット１４Ａに沿って延びる部分は、サイドスリット１４Ｂの湾曲部分を弧とする円の周から外れれば、メインスリット１４Ａと平行でなともよく、外側向きまたは内側向きに下方に延びていてもよい。
【００２０】
メインスリット１４Ａと二つのサイドスリット１４Ｂは、メインスリット１４Ａの上端部と、二つのサイドスリット１４Ｂの上端部とが略横一列に並ぶように設けられる。
【００２１】
一対のアーム１１は互いに同形状に形成されることが、金型の種類を少なくするという点において望ましい。アーム１１は、本体部１４方向の端部において下方に屈曲する屈曲部１１Ｋを有し、屈曲部１１Ｋの先端部に設けられる貫通孔であるメイン孔１１Ａと、屈曲部１１Ｋの根元に設けられる貫通孔であるサイド孔１１Ｂと、を備える。メイン孔１１Ａとサイド孔１１Ｂとは、メイン孔１１Ａとサイド孔１１Ｂを結ぶ直線が、アーム１１の軸、つまりアーム１１の伸延方向に延びる直線と交差するように配置される。
【００２２】
一対のアーム１１は、アーム１１の長さ、開いたときの上端部がなす角度など、基本的な部分が共通していれば、細部の形状が互いに異なっていてもよい。
【００２３】
本体部１４と、一対のアーム１１とは、メインピン１２がメイン孔１１Ａ及びメインスリット１４Ａに、サイドピン１５がサイド孔１１Ｂ及びサイドスリット１４Ｂに、それぞれ挿通されることにより、回動可能に係止される。
【００２４】
メインピン１２にはメインワッシャ１２Ａと、メインナット１２Ｂとが取り付けられる。メインピン１２及びメインナット１２Ｂは軸方向に延びるつまみ部を有する。つまみ部は本体部１４の表面から指がかかる程度にメインピン１２の軸方向に突出する。
【００２５】
サイドピン１５にはサイドワッシャ１５Ａと、サイドナット１５Ｂとが取り付けられる。
【００２６】
なお、メインワッシャ１２Ａ及びサイドワッシャ１５Ａは省略できる。この場合、メインピン１２及びサイドピン１５は嵌め込むと抜けなくなる形状のピンを用いることができる。また、サイドピン１５はアーム１１と一体に形成されていてもよい。
【００２７】
本体部１４は、一対のアーム１１の間に位置していても、一対のアーム１１の外側に位置していてもよい。
【００２８】
以上述べたように、従来例の実施形態のハンガー１は、フック１３と、フック１３の下方に設けられ、上下方向に延びるメインスリット１４Ａ及びメインスリット１４Ａの両脇にメインスリット１４Ａに向かって横方向に延び、メインスリット１４Ａの手前において湾曲しながら下方に向きを変えてメインスリット１４Ａに沿って延びる一対のサイドスリット１４Ｂを有する本体部１４と、付け根に下方に屈曲する屈曲部１１Ｋを有する一対のアーム１１と、屈曲部１１Ｋの先端部に設けられるメイン孔１１Ａ、及びメインスリット１４Ａに挿通されるメインピン１２と、屈曲部１１Ｋの根元に設けられるサイド孔１１Ｂ及びサイドスリット１４Ｂに、アーム１１毎に挿通される一対のサイドピン１５と、を備える。
【００２９】
しかし、従来例の実施形態に係るハンガー１は、片手かつワンタッチによってアーム１１を開閉することは、容易にはできないという問題点があった。
【００３０】
（第１の実施形態）
図４は本実施形態のハンガー２のアーム５１が開いた状態の正面図、図５は本実施形態のハンガー２のアーム５１が閉じた状態の正面図、図６は本実施形態のハンガー２の分解斜視図、図７は作動部３０の斜視図、図８はアーム５１の斜視図、図９は本体部４１の斜視図である。
【００３１】
図４から図９までに示すように、本実施形態のハンガー２は、作動部３０と、本体部４１と、一対のアーム５１と、ピン３３と、を備える。
【００３２】
作動部３０は、フック３１と、フック３１の根元に設置され、図１の手前側と奥側とに二股に分かれる分岐部３２と、中央部分に挿通孔３３Ａを有し、分岐部３２の下端に配置されるツマミ３４と、各ツマミ３４の対向する面に設けられる一対の突起部３５と、を備える。
【００３３】
分岐部３２は、弾性力を有し、本体部４１の厚さの分程度にツマミ３４を離間させるように広げることが可能である。
【００３４】
本体部４１は、上下方向に延びるメインスリット４３Ｂと、メインスリット４３Ｂの上端部に対応する位置において、メインスリット４３Ｂの両脇に本体部４１の両端部からメインスリット４３Ｂに向かって湾曲しながら下方に向きを変えてメインスリット４３Ｂに沿って延びる一対のサイドスリット４３Ａと、本体部４１の上端部に配置される第１取手４２と、本体部４１の下端部に配置される第２取手４４と、を有する。サイドスリット４３Ａの上側の端部は本体部４１の両脇の縁にそれぞれ開放していてもよいし、開放していなくてもよい。
【００３５】
サイドスリット４３Ａは、湾曲する部分の下端からメインスリット４３Ｂに沿って延びる部分が、メインスリット４３Ｂと平行に下方に延びる。サイドスリット４３Ａのこのメインスリット４３Ｂに沿って延びる部分は、サイドスリット４３Ａ湾曲部分を弧とする円の周から外れれば、メインスリット１４Ａと平行でなともよく、外側向きまたは内側向きに下方に延びていてもよい。
【００３６】
作動部３０は本体部４１に変位可能に連結する。つまり、上述の従来例の実施形態においては、フック１３と本体部１４が一体に形成されることにより連結されていたが、本実施形態においては作動部３０と本体部４１は別体に形成されて変位可能に連結される。
【００３７】
メインスリット４３Ｂと二つのサイドスリット４３Ａは、メインスリット４３Ｂの上端部と、二つのサイドスリット４３Ａの上端部とが略横一列に並ぶように設けられる。サイドスリット４３Ａは、それぞれ円弧状に形成されていてもよいし、直線部分を端部に含んでいてもよい。サイドスリット４３Ａは、メインスリット４３Ｂの伸延方向の途中まで延びる。
【００３８】
アーム５１は、根元にアーム５１の根元側伸延方向に端部まで切り欠いた切り欠きを有し、先端付近にピン穴５４を有する根元部５３と、根元部５３に切り欠きを渡されるように設けられる作動ピン５２と、を備える。
【００３９】
なお、作動ピン５２はアーム１１と一体に形成されていても、根元部５３に穴を設け、この穴にアーム１１とは別体に形成されるピンを挿通してもよい。
【００４０】
次に、ハンガー２の組み立て方法について説明する。
【００４１】
本体部４１のサイドスリット４３Ａに開放端からアーム５１の作動ピン５２を嵌め込む。
【００４２】
作動部３０のツマミ３４を開いて突起部３５をメインスリット４３Ｂに嵌め込む。
【００４３】
挿通孔３３Ａと各アーム５１のピン穴５４にピン３３を挿通する。
【００４４】
次に、ハンガー２の動作について説明する。
【００４５】
アーム５１が閉じた状態から開いた状態にするには、ピン３３とメインスリット４３Ｂの最下底との距離を近づける。つまり、アーム５１が閉じた状態から開いた状態にするには、ツマミ３４と第２取手４４を指によってつまみ、ツマミ３４を第２取手の方向、すなわち下方に変位させる。
【００４６】
アーム５１が閉じた状態においては、ピン３３と、二つの作動ピン５２が略横一列に並ぶ。この状態においてツマミ３４を下方に変位させることによりピン３３に下方に向かう力を加えると、その横方向の分力はアーム５１を開くのに十分に大きいものとなる。
【００４７】
他の説明をすれば、作動ピン５２が力点、サイドスリット４３Ａを円周とした場合の中心に相当する位置が支点（仮想支点）、アーム５１の先端が作用点となる。この場合、支点と力点との間の距離は、支点と作用点との間の距離に対して十分に長いものとなる。従って、片手による比較的小さな力によってもアーム１１を開くことが可能となる。
【００４８】
従って、片手かつワンタッチによってアーム５１を開くことができる。
【００４９】
アーム５１が完全に開くと、アーム５１を閉じる方向の力は作動ピン５２を互いの方に向かう力となるため、アーム５１に衣類を掛けてもアーム５１は閉じない。
【００５０】
アーム５１が開いた状態から閉じた状態にするには、ピン３３とメインスリット４３Ｂの最下底との距離を遠ざける。つまり、アーム５１が開いた状態から閉じた状態にするには、ツマミ３４と第１取手４２とを指によってつまみ、ツマミ３４を第１取手の方向に変位させる。
【００５１】
ハンガー２は、フック３１を物干し竿等に掛け、第１取手４２を指によって下方に変位させるだけのワンタッチによってアーム１１を閉じることができるという効果がある。
【００５２】
作動ピン５２はサイドスリット４３Ａに沿って上方に変位し、アーム５１は自重によって閉じる。
【００５３】
従って、片手かつワンタッチによってアーム５１を閉じることができる。
【００５４】
なお、図１０は本実施形態のハンガー２の変形例に係るハンガー３の斜視図、図１１は本変形例のハンガー３の分解斜視図である。図１０及び図１１に示すように、ハンガー２においては、作動部３０が二股に分かれた形状をなし、本体部４１が二股には分かれていない板状の形状をなしているが、本変形例のハンガー３においては作動部６２が二股に分かれず、本体部７０が二股に分かれた形状をなしている。なお、更なる変形例においては作動部３０及び本体部４１がともに二股に分かれていない形状をなしていてもよい。
【００５５】
図１０及び図１１に示すように、ハンガー３は、フック部６０と、上端において連結する一対の本体部７０と、一対のアーム８０と、を備える。
【００５６】
フック部６０は、フック６１と、フック６１の下端に配置され、下端部に挿通孔６３を有する作動部６２と、を備える。
【００５７】
本体部７０は、上下方向に延びるメインスリット７１と、メインスリット７１の両脇に設けられ、両脇からメインスリット７１に向かって延び、メインスリット７１の手前において湾曲しながら下方に向きを変えてメインスリット７１に沿って延びる一対のサイドスリット７２と、を有する。また、本体部７０は連結部分に挿入孔７３を有する。挿入孔７３にはフック６１の作動部６２が上下変位可能に挿入される。
【００５８】
アーム８０は、アーム８０の根元に配置され、アーム８０の伸延方向上に設けられるサイドピン穴８３と、サイドピン穴８３の図１１の正面視下方に配置されるメインピン穴８４と、を有する根元部８２を備える。
【００５９】
メインスリット７１、各アーム８０のメインピン穴８４、及び挿通孔６３には、１本のメインピン８１が挿通される。メインピン８１はメインピン穴８４に装着された状態において、一端部又は両端部が本体部４１の表面から指がかけられる程度に軸方向に突出する。また、サイドピン穴８３にはサイドピン６４がそれぞれ挿通され、挿通されたサイドピン６４はサイドスリット７２に嵌め込まれる。
【００６０】
なお、サイドピン６４はサイドピン穴８３の位置にアーム８０と一体に形成することもできる。この場合、サイドピン穴８３は設けなくてよい。また、サイドピン６４がアーム８０に対して別体に設け有れる場合には、サイドスリット７２は上端が開放していなくてもよい。
【００６１】
本変形例のハンガー３は、フックを竿に掛けたままでも指によって本体部７０を下方に押し下げるだけにより、小さな力でも１回の動作によってアーム８０を開くことができる。また、本変形例のハンガー３は、メインピン８１を指によって上方に変位させるだけの１回の動作によってアーム８０を閉じることができる。
【００６２】
以上述べたように、本実施形態のハンガー２は、フック３１と、上下方向に延び、突起部３５が嵌め込まれるメインスリット４３Ｂ、及びメインスリット４３Ｂの両脇に両脇の端部からメインスリット４３Ｂに向かって横方向に延び、メインスリット４３Ｂの手前において湾曲しながら下方に向きを変えてメインスリット４３Ｂに沿って延びる一対のサイドスリット４３Ａを有し、フック３１に連結される本体部と、先端付近にピン穴５４を有する根元部５３、及び根元部５３にサイドスリット４３Ａに挿通される作動ピン５２を備える一対のアーム５１と、本体部４１にアーム５１を変位可能に係止するピン３３と、を備える。
【００６３】
具体的には、本実施形態のハンガー２は、フック３１と、フック３１の根元に設置され、正面視の手前側と奥側とに二股に分かれる分岐部３２と、中央部分に挿通孔３３Ａを有し、分岐部３２の下端に配置されるツマミ３４と、各ツマミ３４の対向する面に設けられる一対の突起部３５と、を備える作動部３０と、上下方向に延び、突起部３５が嵌め込まれるメインスリット４３Ｂと、メインスリット４３Ｂの両脇に設けられ、両脇の端部からメインスリット４３Ｂに向かって横方向に延び、メインスリット４３Ｂの手前において湾曲しながら下方に向きを変えてメインスリット４３Ｂに沿って延びる一対のサイドスリット４３Ａと、メインスリット４３Ｂの上方に配置される第１取手４２と、メインスリット４３Ｂの下方に配置される第２取手４４と、を有する本体部４１と、根元に根元側伸延方向に端部まで切り欠いた切り欠きを有し、先端付近にピン穴５４を有する根元部５３と、根元部５３に切り欠きを渡されるように設けられ、サイドスリット４３Ａに挿通される作動ピン５２と、を備える一対のアーム５１と、挿通孔３３Ａとピン穴５４に挿通されるピン３３と、を備える。
【００６４】
また更に、本実施形態のハンガー３は、フック６１と、フック６１の根元から下方に延び、下端部に挿通孔６３を備える作動部６２と、上下方向に延びるメインスリット７１と、メインスリット７１の両脇に設けられ、両脇からメインスリット７１に向かって延び、メインスリット７１の手前において湾曲しながら下方に向きを変えてメインスリット７１に沿って延びる一対のサイドスリット７２と、を有し、上端部において互いに連結する一対の本体部７０と、根元の先端付近にサイドピン穴８３及びサイドピン穴８３の正面視下方に配置されるメインピン穴８４を有する根元部８２と、サイドピン穴８３及びサイドスリット７２に挿通される一対のサイドピン６４と、を備える一対のアーム８０と、挿通孔６３、メインスリット７１、及びメインピン穴８４に挿通されるメインピン８１と、を備えるように構成することも可能である。
【００６５】
従って、安価に製造することができ、片手かつワンタッチによってアーム５１を開閉でき、迅速に衣類に装着できるハンガーを提供することができるという効果がある。
【００６６】
また、本実施形態のハンガー２は、フック３１を物干し竿等に掛け、第１取手４２を指によって下方に変位させるだけのワンタッチによってアーム１１を閉じることができるという効果がある。
【００６７】
（第２の実施形態）
図１２は本実施形態のハンガー４のアーム８０を開いた状態を示す正面図、図１３はハンガー４の分解斜視図である。
【００６８】
図１２及び図１３に示すように、本実施形態のハンガー４は、フック部６０と、本体部４１と、一対のアーム８０と、メインピン８１と、を備える（以下、上下、左右、縦横は図１２正面視に基づくものとする。）。
【００６９】
フック部６０は、フック６１と、フック６１の根元に設置され、下端部に挿通孔６３を有する作動部６２と、を備える。
【００７０】
本体部４１は、フック部６０とは別体に、かつ、１枚の板状に設けられる。本体部４１は、上下方向に延びるメインスリット４３Ｂと、メインスリット４３Ｂの上端部に対応する位置において、メインスリット４３Ｂの両脇に本体部４１の両端部からメインスリット４３Ｂに向かって湾曲しながら下方に向きを変えてメインスリット４３Ｂに沿って延びる一対のサイドスリット４３Ａと、本体部４１の上端部に配置される第１取手４２と、本体部４１の下端部に配置される第２取手４４と、を有する。サイドスリット４３Ａの上側の端部は本体部４１の両脇の縁にそれぞれ開放していてもよいし、開放していなくてもよい。
【００７１】
サイドスリット４３Ａは、湾曲する部分の下端からメインスリット４３Ｂに沿って延びる部分が、メインスリット４３Ｂと平行に下方に延びる。サイドスリット４３Ａのこのメインスリット４３Ｂに沿って延びる部分は、サイドスリット４３Ａの湾曲部分を弧とする円の周から外れれば、メインスリット４３Ｂと平行でなともよく、外側向きまたは内側向きに下方に延びていてもよい。
【００７２】
メインスリット４３Ｂと二つのサイドスリット４３Ａは、メインスリット４３Ｂの上端部と、二つのサイドスリット４３Ａの上端部とが略横一列に並ぶように設けられる。サイドスリット４３Ａは、それぞれ円弧状に形成されていてもよいし、直線部分を端部に含んでいてもよい。サイドスリット４３Ａは、メインスリット４３Ｂの伸延方向の途中まで延びる。
【００７３】
第１取手４２は、メインスリット４３Ｂの上端部に対応する位置に作動部６２が嵌まり込む幅を有する切り欠きを有する。
【００７４】
一対のアーム８０は互いに同形状に形成されることが、金型の種類を少なくするという点において望ましい。アーム８０は、先端部に配置される根元部８２に貫通孔であるサイドピン穴８３と、アーム８０の伸延方向に対して下方に約１２０℃の方向に配置される貫通孔であるメインピン穴８４と、を備える。
【００７５】
一対のアーム８０は、アーム８０の長さ、開いたときの上端部がなす角度など、基本的な部分が共通していれば、細部の形状が互いに異なっていてもよい。
【００７６】
本体部４１と、一対のアーム８０とは、メインピン８１がメインピン穴８４及びメインスリット４３Ｂに、サイドピン６４がサイドピン穴８３及びサイドスリット４３Ａに、それぞれ挿通されることにより、回動可能に係止される。
【００７７】
メインスリット４３Ｂ、各アーム８０のメインピン穴８４、及び挿通孔６３には、１本のメインピン８１が挿通される。メインピン８１はメインピン穴８４に装着された状態において、一端部又は両端部が本体部４１の表面から指がかけられる程度に軸方向に突出する。また、サイドピン穴８３にはサイドピン６４がそれぞれ挿通され、挿通されたサイドピン６４はサイドスリット４３Ａに嵌め込まれる。
【００７８】
サイドスリット４３Ａは、湾曲しているためサイドピン６４の移動がスムーズとなる。従って、ハンガー４を両手によって操作する必要がなく、片手かつワンタッチによってアーム８０の開閉を可能にするという効果がある。
【００７９】
なお、サイドピン６４はサイドピン穴８３の位置にアーム８０と一体に形成することもできる。この場合、サイドピン穴８３は設けなくてよい。また、サイドピン６４がアーム８０に対して別体に設け有れる場合には、サイドスリット４３Ａは上端が開放していなくてもよい。
【００８０】
メインピン８１と、サイドピン６４とは、先端部の幅が広くなった割ピンでも、ボルトとナットのような二つ以上の部材を有するピンであってもよい。なお、ハンガー４の材質は、特に制約はなく、例えば樹脂、金属、木材、及び紙から１種類以上選ばれる材質によって形成されることができるが、これらに限られるものではない。このうち紙については、通常の紙のほか、段ボール、再生紙、樹脂コーティング紙などを使用することができる。材質に紙を含む場合、紙の部分はリサイクルできるという効果がある。
【００８１】
次に、ハンガー４の組み立て方法について説明する。
【００８２】
本体部４１のサイドスリット４３Ａと、アーム８０のサイドピン穴８３とに、サイドピン６４を挿通する。
【００８３】
本体部４１のメインスリット４３Ｂと、一対のアーム８０のメインピン穴８４と、作動部６２の挿通孔６３とに、メインピン８１を挿通する。
【００８４】
次に、ハンガー４の動作について説明する。
【００８５】
アーム８０が閉じた状態から開いた状態にするには、メインピン８１とメインスリット４３Ｂの最下底との距離を近づける。つまり、アーム８０が閉じた状態から開いた状態にするには、メインピン８１と第２取手４４を指によってつまみ、メインピン８１を第２取手の方向、すなわち下方に変位させる。
【００８６】
アーム８０が閉じた状態においては、メインピン８１と、二つのサイドピン穴８３が略横一列に並ぶ。この状態においてメインピン８１を下方に変位させることによりメインピン８１に下方に向かう力を加えると、その横方向の分力はアーム８０を開くのに十分に大きいものとなる。
【００８７】
他の説明をすれば、サイドピン穴８３が力点、サイドスリット４３Ａを円周とした場合の中心に相当する位置が支点（仮想支点）、アーム８０の先端が作用点となる。この場合、支点と力点との間の距離は、支点と作用点との間の距離に対して十分に長いものとなる。従って、片手による比較的小さな力によってもアーム８０を開くことが可能となる。
【００８８】
従って、片手かつワンタッチによってアーム８０を開くことができる。
【００８９】
アーム８０が完全に開くと、アーム８０を閉じる方向の力はサイドピン穴８３を互いの方に向かう力となるため、アーム８０に衣類を掛けてもアーム８０は閉じない。
【００９０】
アーム８０が開いた状態から閉じた状態にするには、メインピン８１とメインスリット４３Ｂの最下底との距離を遠ざける。つまり、アーム８０が開いた状態から閉じた状態にするには、メインピン８１と第１取手４２とを指によってつまみ、メインピン８１を第１取手４２の方向に変位させる。
【００９１】
ハンガー４は、フック６１を物干し竿等に掛け、第１取手４２を指によって下方に変位させるだけのワンタッチによってアーム８０を閉じることができるという効果がある。
【００９２】
サイドピン穴８３はサイドスリット４３Ａに沿って上方に変位し、アーム８０は自重によって閉じる。
【００９３】
従って、片手かつワンタッチによってアーム８０を閉じることができる。
【００９４】
また、ハンガー４はフックを竿に掛けたままでも指によって本体部４１を下方に押し下げるだけにより、小さな力でも１回の動作によってアーム８０を閉じることができる。また、ハンガー４は、メインピン８１を指によって上方に変位させるだけの１回の動作によってアーム８０を開くことができる。
【００９５】
以上述べたように、ハンガー４は、フック６１と、フック６１の根元から下方に延び、下端部に挿通孔６３を備える作動部６２と、作動部６２とは別体、かつ、１枚の板状に形成され、上下方向に延びるメインスリット４３Ｂと、メインスリット４３Ｂの両脇に設けられ、メインスリット４３Ｂに向かって延び、メインスリット４３Ｂの手前において湾曲しながら下方に向きを変えてメインスリット４３Ｂに沿って延びる一対のサイドスリット４３Ａと、を有する本体部４１と、根元の先端付近にメインピン穴８４を有する根元部８２と、根元部８２に設けられ、サイドスリット４３Ａに挿通される一対のサイドピン６４と、を備える一対のアーム８０と、挿通孔６３、メインスリット４３Ｂ、及びメインピン穴８４に挿通されるメインピン８１と、を備える。
【００９６】
従って、片手かつワンタッチによってアーム８０を開閉でき、衣類を容易に着脱できるハンガーを提供することができるという効果がある。
【００９７】
（第３の実施形態）
図１４は本実施形態のハンガー５の分解斜視図、図１５はハンガー５のアーム１１０を開いた状態を示す斜視図、図１６はハンガー５のアーム１１０を閉じた状態を示す斜視図である（以下、上下、左右、縦横は図３正面視に基づくものとする。）。
【００９８】
図１４から図１６に示すように、本実施形態のハンガー５は、フック部９０と、本体部１２０と、一対のアーム１１０と、メインピン８１と、を備える。
【００９９】
フック部９０は、フック９１と、フック９１の根元に配置され、第１指孔９５及び第１指孔９５の下方に配置される挿通孔９６を有する作動部９２と、を備える。第１指孔９５は、指を入れるのに十分な横幅と、後述するメインスリット１２１の上下方向の長さと等しいかより長い縦幅を有する。
【０１００】
本体部１２０は、フック部９０とは別体に、かつ、１枚の板状に設けられる。本体部１２０は、上下方向に延びるメインスリット１２１と、メインスリット１２１の上端部に対応する位置において、メインスリット１２１の両脇に本体部１２０の両端部からメインスリット１２１に向かって湾曲しながら下方に向きを変えてメインスリット１２１に沿って延びる一対のサイドスリット１２２と、本体部１２０の上端部に配置される第２指孔１２５を有する第１取手１２３と、を有する。サイドスリット１２２の上側の端部は本体部１２０の両脇の縁にそれぞれ開放していてもよいし、開放していなくてもよい。
【０１０１】
サイドスリット１２２は、湾曲する部分の下端からメインスリット１２１に沿って延びる部分が、メインスリット１２１と平行に下方に延びる。サイドスリット１２２のこのメインスリット１２１に沿って延びる部分は、サイドスリット１２２の湾曲部分を弧とする円の周から外れれば、メインスリット１２１と平行でなともよく、外側向きまたは内側向きに下方に延びていてもよい。
【０１０２】
メインスリット１２１と二つのサイドスリット１２２は、メインスリット１２１の上端部と、二つのサイドスリット１２２の上端部とが略横一列に並ぶように設けられる。サイドスリット１２２は、それぞれ円弧状に形成されていてもよいし、直線部分を端部に含んでいてもよい。サイドスリット１２２は、メインスリット１２１の伸延方向の途中まで延びる。
【０１０３】
一対のアーム１１０は互いに同形状に形成されることが、金型の種類を少なくするという点において望ましい。アーム１１０は、先端部に配置される根元部１１２に本体部１２０の方向に突出するアーム１１０と一体成型されたサイドピン１１３と、アーム１１０の伸延方向に対して下方に約１２０℃の方向に配置される貫通孔であるメインピン穴１１４と、を備える。
【０１０４】
一対のアーム１１０は、アーム１１０の長さ、開いたときの上端部がなす角度など、基本的な部分が共通していれば、細部の形状が互いに異なっていてもよい。
【０１０５】
本体部１２０と、一対のアーム１１０とは、メインピン８１がメインピン穴１１４及びメインスリット１２１に、サイドピン１１３がサイドスリット１２２に、それぞれ挿通されることにより、回動可能に係止される。
【０１０６】
メインスリット１２１、各アーム１１０のメインピン穴１１４、及び挿通孔９６には、１本のメインピン８１が挿通される。また、サイドピン１１３はサイドスリット１２２に嵌め込まれる。
【０１０７】
サイドスリット１２２は、湾曲しているためサイドピン１１３の移動がスムーズとなる。従って、ハンガー４を両手によって操作する必要がなく、片手かつワンタッチによってアーム１１０の開閉を可能にするという効果がある。
【０１０８】
なお、アーム１１０の代わりに第１の実施形態において示したアーム８０とサイドピン６４を用いてもよい。この場合のサイドピン６４の挿通箇所は第１の実施形態と同様である。
【０１０９】
メインピン８１は、先端部の幅が広くなった割ピンでも、ボルトとナットのような二つ以上の部材を有するピンであってもよい。なお、ハンガー５の材質は、特に制約はなく、例えば樹脂、金属、木材、及び紙から１種類以上選ばれる材質によって形成されることができるが、これらに限られるものではない。このうち紙については、通常の紙のほか、段ボール、再生紙、樹脂コーティング紙などを使用することができる。材質に紙を含む場合、紙の部分はリサイクルできるという効果がある。
【０１１０】
次に、ハンガー５の組み立て方法について説明する。
【０１１１】
本体部１２０のサイドスリット１２２に、アーム１１０のサイドピン１１３を挿通する。
【０１１２】
本体部１２０のメインスリット１２１と、一対のアーム１１０のメインピン穴１１４と、作動部９２の挿通孔９６とに、メインピン８１を挿通する。
【０１１３】
次に、ハンガー５の動作について説明する。
【０１１４】
アーム１１０が閉じた状態から開いた状態にするには、メインピン８１とメインスリット１２１の最下底との距離を近づける。つまり、アーム１１０が閉じた状態から開いた状態にするには、第１指孔９５の上方に位置する第１指掛け部９７と、第２指孔１２５の上端部を指によってつまみ、第１指掛け部９７と第２指孔１２５の上端部を近づける。この動作により、メインピン８１はメインスリット１２１の上方から下方に向かって移動するとともに、サイドピン１１３はサイドスリット１２２の上方から下方に向かって変位する。従って、アーム１１０は閉じた状態から開いた状態になる。
【０１１５】
アーム１１０が閉じた状態においては、メインピン８１と、二つのサイドピン１１３が略横一列に並ぶ。この状態においてメインピン８１を下方に変位させる、つまりメインピン８１に下方に向かう力を加えると、その横方向の分力はアーム１１０を開くのに十分に大きいものとなる。
【０１１６】
他の説明をすれば、サイドピン１１３が力点、サイドスリット１２２を円周とした場合の中心に相当する位置が支点（仮想支点）、アーム１１０の先端が作用点となる。この場合、支点と力点との間の距離は、支点と作用点との間の距離に対して十分に長いものとなる。従って、片手による比較的小さな力によってもアーム１１０を開くことが可能となる。
【０１１７】
従って、片手かつワンタッチによってアーム１１０を開くことができる。
【０１１８】
アーム１１０が完全に開くと、アーム１１０を閉じる方向の力はサイドピン１１３を互いの方に向かう力となるため、アーム１１０に衣類を掛けてもアーム１１０は閉じない。
【０１１９】
アーム１１０が開いた状態から閉じた状態にするには、メインピン８１とメインスリット１２１の最下底との距離を遠ざける。つまり、アーム１１０が開いた状態から閉じた状態にするには、作動部９２の下端部に相当する第２指掛け部９８と本体部１２０の第２指孔１２５の下端部を指によってつまみ、第２指掛け部９８と第２指孔１２５の下端部を近づける。この動作により、メインピン８１はメインスリット１２１の下方から上方に向かって移動するとともに、サイドピン１１３はサイドスリット１２２の下方から上方に向かって変位する。従って、アーム１１０は開いた状態から閉じた状態になる。
【０１２０】
ハンガー５は、第１指孔９５と第２指孔１２５を有するため、本体部１２０に対して作動部９２の挿通孔９６に挿通されたメインピン８１を、片手、かつ、ワンタッチによって変位させることができる。従って、片手、かつ、ワンタッチによってアーム１１０を開閉できるという効果がある。
【０１２１】
また、ハンガー５はフックを竿に掛けたままでも指によって本体部１２０を下方に押し下げるだけにより、小さな力でも１回の動作によってアーム１１０を閉じることができる。また、ハンガー５は、メインピン８１を指によって上方に変位させるだけの１回の動作によってアーム１１０を開くことができる。
【０１２２】
以上述べたように、ハンガー５は、フック９１と、フック９１の根元から下方に延び、下端部に挿通孔９６を備える作動部９２と、作動部９２とは別体、かつ、１枚の板状に形成され、上下方向に延びるメインスリット１２１と、メインスリット１２１の両脇に設けられ、メインスリット１２１に向かって延び、メインスリット１２１の手前において湾曲しながら下方に向きを変えてメインスリット１２１に沿って延びる一対のサイドスリット１２２と、を有する本体部１２０と、根元の先端付近にメインピン穴１１４を有する根元部１１２と、根元部１１２に設けられ、サイドスリット１２２に挿通される一対のサイドピン１１３と、を備える一対のアーム１１０と、挿通孔９６、メインスリット１２１、及びメインピン穴１１４に挿通されるメインピン８１と、を備える。
【０１２３】
そして、ハンガー５は、作動部９２は、挿通孔９６の上方に指を入れるのに十分な横幅と、メインスリット１２１の上下方向の長さと等しいかより長い縦幅を有する第１指孔９５をさらに備え、本体部１２０は、メインスリット１２１の上方に指を入れるのに十分な大きさを有する第２指孔１２５をさらに備える。
【０１２４】
従って、さらに容易に、片手かつワンタッチによってアーム８０を開閉でき、衣類を容易に着脱できるハンガーを提供することができるという効果がある。
【０１２５】
（第４の実施形態）
図１７は本実施形態のハンガー６のアーム２２１を開いた状態を示す正面図、図１８はハンガー６のアーム２２１を閉じた状態の正面図、図１９はハンガー６のアーム２２１を閉じた状態の右側面図である。
【０１２６】
図１７から図１９に示すように、本実施形態のハンガー６は、フック部２０１と、一対の本体部２１１と、一対のアーム２２１と、を備える（以下、上下、左右、縦横は図１２正面視に基づくものとする。）。
【０１２７】
図２０は、フック部２０１を示す図である。図２０（Ａ）はフック部２０１の正面図、図２０（Ｂ）はフック部２０１のＸ１矢視図である。
【０１２８】
図２０に示すように、フック部２０１は、指を通すのに十分な大きさを有する第１指孔２０２が下方に配置されるフック２０６と、第１指孔２０２の下方に配置され、指を通すのに十分な大きさを有する長孔２０４、及び長孔２０４の下方に配置され、正面と背面とにそれぞれ突出するメインピン２０５を有する作動部２０３と、を備える。
【０１２９】
第１指孔２０２の横方向の直径の長さと、長孔２０４の横幅の長さとはほぼ等しい。作動部２０３の奥行き方向の厚さは、フック２０６の奥行き方向の厚さより薄い。
【０１３０】
図２１は、アーム２２１を示す図である。図２１（Ａ）はアーム２２１の平面図、図２１（Ｂ）は左側のアーム２２１の正面図、図２１（Ｃ）は左側のアーム２２１の背面図、図２１（Ｄ）はアーム２２１のＸ４矢視図である。
【０１３１】
図２１に示すように、アーム２２１は、衣類を掛けるのに適した長さと幅を有し、根元に正面と背面とにそれぞれ突出するサイドピン２２２、及び開いた状態においてサイドピン２２２の下方に来るように配置される貫通孔であるメインピン穴２２５を有する根元部２２４を備える。
【０１３２】
根元部２２４は、アーム２２１の伸延方向端部に溝部２２３を有し、奥側の根元部２２４は手前側の根元部２２４より、メインピン穴２２５が視認できる程度に短く切り欠かれる。
【０１３３】
アーム２２１の断面２２１Ａは、アーム２２１が開いた状態において下側の幅が短くなるように形成される。
【０１３４】
一対のアーム２２１は、互いに同形状に形成されても、異なる形状に形成されてもよい。
【０１３５】
図２２は、本体部２１１を示す図である。図２２（Ａ）は本体部２１１の背面図、図２２（Ｂ）は本体部２１１の正面図、図２２（Ｃ）は本体部２１１の左側面図、図２２（Ｄ）は一対の本体部２１１を組み合わせた様子を示す図である。
【０１３６】
図２２に示すように、本体部２１１は、上半分がほぼ矩形をなし、下半分が略逆三角形をなす。本体部２１１は、上方に指を通すのに十分な大きさを有する第２指孔２１２を備える。
【０１３７】
本体部２１１は、フック部２０１とは別体に、かつ、１枚の板状に設けられる。本体部２１１は、上下方向に延びる溝であるメイン溝部２１３Ａと、メイン溝部２１３Ａの上端部に対応する位置において、メイン溝部２１３Ａの両脇に本体部２１１の両端部からメイン溝部２１３Ａに向かって湾曲しながら下方に向きを変えてメイン溝部２１３Ａに沿って延びる溝である一対のサイド溝部２１３Ｂと、を有する。サイド溝部２１３Ｂの上側の端部は本体部２１１の両脇の縁にそれぞれ開放していてもよいし、開放していなくてもよい。
【０１３８】
サイド溝部２１３Ｂは、湾曲する部分の下端からメイン溝部２１３Ａに沿って延びる部分が、メイン溝部２１３Ａと平行に下方に延びる。サイド溝部２１３Ｂのこのメイン溝部２１３Ａに沿って延びる部分は、サイド溝部２１３Ｂの湾曲部分を弧とする円の周から外れれば、メイン溝部２１３Ａと平行でなともよく、外側向きまたは内側向きに下方に延びていてもよい。
【０１３９】
メイン溝部２１３Ａと二つのサイド溝部２１３Ｂは、メイン溝部２１３Ａの上端部と、二つのサイド溝部２１３Ｂの上端部とが略横一列に並ぶように設けられる。サイド溝部２１３Ｂは、それぞれ円弧状に形成されていてもよいし、直線部分を端部に含んでいてもよい。サイド溝部２１３Ｂは、メイン溝部２１３Ａの伸延方向の途中まで延びる。
【０１４０】
一対の本体部２１１の一方には、本体部２１１の縁にフック部２０１とアーム２２１を挿通する部分を除いて、他方の本体部２１１と嵌合する嵌合部２１４が設けられる。図２２においては、嵌合部２１４が凸部として表されているが、他方の本体部２１１は嵌合部２１４が凹部となる。
【０１４１】
一対の本体部２１１は、嵌合部２１４を除いて互いに同形状に形成される。本体部２１１は装飾が施されていてもよく、この装飾は一方の本体部２１１と他方の本体部２１１とにおいて異なっていてもよい。
【０１４２】
次に、ハンガー６の組み立て方について説明する。まず、一方の本体部２１１に、一方のアーム２２１をサイドピン２２２がサイド溝部２１３Ｂに嵌まるように載置する。
【０１４３】
次に、フック部２０１を、メインピン２０５がメインピン穴２２５に嵌まり、かつ、メイン溝部２１３Ａに嵌まるように載置する。
【０１４４】
次に、他方のアーム２２１をサイドピン２２２が他方のサイド溝部２１３Ｂに嵌まり、メインピン２０５がメインピン穴２２５に嵌まるように載置する。
【０１４５】
最後に、他方の本体部２１１を、メインピン２０５がメイン溝部２１３Ａに、サイドピン２２２がサイド溝部２１３Ｂに、それぞれ嵌まるように載置し、嵌合部２１４を互いに嵌合させる。
【０１４６】
図２３は、ハンガー６の開閉の様子を示す図である。図２３においては、手前側の本体部２１１を外した状態を図示してある。図２３（Ａ）はアーム２２１が閉じた状態を、図２３（Ｂ）はアーム２２１が開いた状態を示す。
【０１４７】
アーム２２１を閉じた状態から開いた状態にするには、第１指孔２０２と第２指孔２１２にそれぞれ指を入れ、第１指孔２０２の底部を矢印Ｙ１の方向に、第２指孔２１２の上部を矢印Ｙ２の方向に、それぞれ押圧して互いに近づける。
【０１４８】
上述のように押圧すると、メインピン２０５はメイン溝部２１３Ａの上方から下方に移動し、サイドピン２２２はサイド溝部２１３Ｂの上方から下方に移動する。
【０１４９】
サイドピン２２２同士の距離が短くなり、一対のアーム２２１は閉じた状態から開いた状態になる。この際、サイド溝部２１３Ｂが湾曲しているため、スムーズに、片手のみによって、かつ、１回の動作（ワンタッチ）によってアーム２２１を開くことができる。
【０１５０】
アーム２２１を開いた状態から閉じた状態にするには、第１指孔２０２と第２指孔２１２にそれぞれ指を入れ、第１指孔２０２の上部を矢印Ｙ３の方向に、第２指孔２１２の底部を矢印Ｙ４の方向に、それぞれ押圧して互いに遠ざける。
【０１５１】
上述のように押圧すると、メインピン２０５はメイン溝部２１３Ａの下方から上方に移動し、サイドピン２２２はサイド溝部２１３Ｂの下方から上方に移動する。
【０１５２】
サイドピン２２２同士の距離が遠くなり、一対のアーム２２１は開いた状態から閉じた状態になる。この際、サイド溝部２１３Ｂが湾曲しているため、スムーズに、片手のみによって、かつ、１回の動作によってアーム２２１を閉じることができる。
【０１５３】
図２４は第４の実施形態の応用例に係るハンガー７のアーム２２１を開いた状態の正面図、図２５は本応用例に係るハンガー７のアーム２２１を閉じた状態の正面図、図２６は本応用例に係るハンガー７のアーム２２１を閉じた状態の右側面図である。
【０１５４】
図２４から図２６に示すように、本実施形態のハンガー７は、脚付きフック部３０１と、一対の本体部２１１と、一対のアーム２２１と、を備える（以下、上下、左右、縦横は図１２正面視に基づくものとする。）。
【０１５５】
本応用例に係るハンガー７の構成は、第４の実施形態に係るハンガー６の構成のうちフック部２０１が脚付きフック部３０１に代わった点が異なるだけであり、他の構成は第４の実施形態に係るハンガー６の構成と同様である。従って、脚付きフック部３０１についてのみ説明する。
【０１５６】
図２７は、脚付きフック部３０１を示す図である。図２７（Ａ）は脚付きフック部３０１の正面図、図２７（Ｂ）は脚付きフック部３０１のＸ２矢視図である。
【０１５７】
図２７に示すように、脚付きフック部３０１は、フック３０６と、フック３０６の下方に配置され、指を通すのに十分な大きさを有する長孔３０４、及び長孔３０４の下方に配置され、正面と背面とにそれぞれ突出するメインピン３０５を有する作動部３０３と、メインピン３０５の下方に配置され、下方に伸びる脚部３０２と、を備える。
【０１５８】
脚付きフック部３０１は、本体部２１１とは別体に形成される。
【０１５９】
次に、ハンガー７の組み立て方について説明する。まず、一方の本体部２１１に、一方のアーム２２１をサイドピン２２２がサイド溝部２１３Ｂに嵌まるように載置する。
【０１６０】
次に、脚付きフック部３０１を、メインピン３０５がメインピン穴２２５に嵌まり、かつ、メイン溝部２１３Ａに嵌まるように載置する。
【０１６１】
次に、他方のアーム２２１をサイドピン２２２が他方のサイド溝部２１３Ｂに嵌まり、メインピン３０５がメインピン穴２２５に嵌まるように載置する。
【０１６２】
最後に、他方の本体部２１１を、メインピン３０５がメイン溝部２１３Ａに、サイドピン２２２がサイド溝部２１３Ｂに、それぞれ嵌まるように載置し、嵌合部２１４を互いに嵌合させる。
【０１６３】
図２８は、ハンガー７のアーム２２１の開閉の様子を示す図である。図２８においては、手前側の本体部２１１を外した状態を図示してある。図２８（Ａ）はアーム２２１が閉じた状態を、図２８（Ｂ）はアーム２２１が開いた状態を示す。
【０１６４】
アーム２２１を閉じた状態から開いた状態にするには、第２指孔２１２に指を入れ、フック３０６の下端部の上面に他の指をかけ、フック３０６の下端部の上面を矢印Ｙ５の方向に、第２指孔２１２の上部を矢印Ｙ６の方向に、それぞれ押圧して互いに近づける。
【０１６５】
上述のように押圧すると、メインピン３０５はメイン溝部２１３Ａの上方から下方に移動し、サイドピン２２２はサイド溝部２１３Ｂの上方から下方に移動する。
【０１６６】
サイドピン２２２同士の距離が短くなり、一対のアーム２２１は閉じた状態から開いた状態になる。この際、サイド溝部２１３Ｂが湾曲しているため、スムーズに、片手のみによって、かつ、１回の動作（ワンタッチ）によってアーム２２１を開くことができる。
【０１６７】
アーム２２１を開いた状態から閉じた状態にするには、脚部３０２の下端に指を掛け、第２指孔２１２に他の指を入れ、脚部３０２を矢印Ｙ７の方向に、第２指孔２１２の底部を矢印Ｙ８の方向に、それぞれ押圧して互いに近づける。
【０１６８】
上述のように押圧すると、メインピン２０５はメイン溝部２１３Ａの下方から上方に移動し、サイドピン２２２はサイド溝部２１３Ｂの下方から上方に移動する。
【０１６９】
サイドピン２２２同士の距離が遠くなり、一対のアーム２２１は開いた状態から閉じた状態になる。この際、サイド溝部２１３Ｂが湾曲しているため、スムーズに、片手のみによって、かつ、１回の動作によってアーム２２１を閉じることができる。
【０１７０】
そして、本応用例においては、アーム２２１を開くときも閉じるときも指をつまむように動作すればよいため、開閉動作がさらに容易になるという効果がある。
【０１７１】
なお、全ての実施形態において、メインスリット（１４Ａ、４３Ｂ、７１、１２１）の上端部はサイドスリット（１４Ｂ、４３Ａ、７２、１２２）の上端部と同じ高さに揃っていなくてもよいし、メイン溝部２１３Ａの上端部はサイド溝部２１３Ｂの上端部と同じ高さに揃っていなくてもよい。
【０１７２】
最後に、ハンガー６及びハンガー７の材質について説明する。ハンガー６及びハンガー７の材質は、衣類を掛けておくのに十分な強度を有していれば、その材質を問わない。例えば、材質は樹脂、金属、木材、紙から１種類以上えらばれる材質を用いることができる。特に紙を用いた部分については、リサイクルできるという効果がある。
【０１７３】
なお、他の実施形態についても、材質については本実施形態と同じである。
【０１７４】
以上述べたように、本実施形態のハンガー６は、下方に指を通すのに十分な大きさを有する第１指孔２０２を有するフック２０６と、第１指孔２０２の下方に配置され、指を通すのに十分な大きさを有する長孔２０４、及び長孔２０４の下方に配置される前後一対のメインピン２０５を有する作動部２０３と、作動部２０３とは別体、かつ、一対の板状に形成され、上方に指を通すのに十分な大きさを有する第２指孔２１２と、第２指孔２１２の下方に配置され、上下方向に延び、メインピン２０５が嵌め込まれるメイン溝部２１３Ａと、メイン溝部２１３Ａの両脇に設けられ、メイン溝部２１３Ａに向かって延び、メイン溝部２１３Ａの手前において湾曲しながら下方に向きを変えてメイン溝部２１３Ａに沿って延びる一対のサイド溝部２１３Ｂと、を有する本体部２１１と、根元の先端付近にメインピン２０５が挿通されるメインピン穴２２５を有する根元部２２４と、根元部２２４に設けられ、サイド溝部２１３Ｂに嵌め込まれる一対のサイドピン２２２と、を備える一対のアーム２２１と、を備える。
【０１７５】
従って、さらに容易に、片手かつワンタッチによってアーム８０を開閉でき、衣類を容易に着脱できるハンガーを提供することができるという効果がある。
【０１７６】
また、一対の本体部２１１が内側に作動部２０３及び根元部２２４を収容するため、指を挟んだり埃がたまったりすることを防止することが可能となるという効果がある。
【符号の説明】
【０１７７】
１  ハンガー
２  ハンガー
３  ハンガー
４  ハンガー
５  ハンガー
６  ハンガー
１１  アーム
１１Ａ  メイン孔
１１Ｂ  サイド孔
１１Ｋ  屈曲部
１２  メインピン
１２Ａ  メインワッシャ
１２Ｂ  メインナット
１３  フック
１４  本体部
１４Ａ  メインスリット
１４Ｂ  サイドスリット
１５  サイドピン
１５Ａ  サイドワッシャ
１５Ｂ  サイドナット
３０  作動部
３１  フック
３２  分岐部
３３  ピン
３３Ａ  挿通孔
３４  ツマミ
３５  突起部
４１  本体部
４２  第１取手
４３Ａ  サイドスリット
４３Ｂ  メインスリット
４４  第２取手
５１  アーム
５２  作動ピン
５３  根元部
５４  ピン穴
６０  フック部
６１  フック
６２  作動部
６３  挿通孔
６４  サイドピン
７０  本体部
７１  メインスリット
７２  サイドスリット
７３  挿入孔
８０  アーム
８１  メインピン
８２  根元部
８３  サイドピン穴
８４  メインピン穴
９０  フック部
９１  フック
９２  作動部
９５  第１指孔
９６  挿通孔
９７  第１指掛け部
９８  第２指掛け部
１１０  アーム
１１２  根元部
１１３  サイドピン
１１４  メインピン穴
１２０  本体部
１２１  メインスリット
１２２  サイドスリット
１２３  第１取手
１２５  第２指孔
２０１  フック部
２０２  第１指孔
２０３  作動部
２０４  長孔
２０５  メインピン
２０６  フック
２１１  本体部
２１２  第２指孔
２１３Ａ  メイン溝部
２１３Ｂ  サイド溝部
２１４  嵌合部
２２１  アーム
２２１Ａ  断面
２２２  サイドピン
２２３  溝部
２２４  根元部
２２５  メインピン穴
３０１  フック部
３０２  脚部
３０３  作動部
３０４  長孔
３０５  メインピン
３０６  フック
【図１】
2019202863.tif 000003
【図２】
2019202863.tif 000004
【図３】
2019202863.tif 000005
【図４】
2019202863.tif 000006
【図５】
2019202863.tif 000007
【図６】
2019202863.tif 000008
【図７】
2019202863.tif 000009
【図８】
2019202863.tif 000010
【図９】
2019202863.tif 000011
【図１０】
2019202863.tif 000012
【図１１】
2019202863.tif 000013
【図１２】
2019202863.tif 000014
【図１３】
2019202863.tif 000015
【図１４】
2019202863.tif 000016
【図１５】
2019202863.tif 000017
【図１６】
2019202863.tif 000018
【図１７】
2019202863.tif 000019
【図１８】
2019202863.tif 000020
【図１９】
2019202863.tif 000021
【図２０】
2019202863.tif 000022
【図２１】
2019202863.tif 000023
【図２２】
2019202863.tif 000024
【図２３】
2019202863.tif 000025
【図２４】
2019202863.tif 000026
【図２５】
2019202863.tif 000027
【図２６】
2019202863.tif 000028
【図２７】
2019202863.tif 000029
【図２８】
2019202863.tif 000030
【手続補正書】
【提出日】令和2年1月30日(2020.1.30)
【手続補正１】
【補正対象書類名】特許請求の範囲
【補正対象項目名】全文
【補正方法】変更
【補正の内容】
【特許請求の範囲】
【請求項１】
フックと、
前記フックの根元から下方に延び、下端部に挿通孔を備える作動部と、
前記作動部とは別体、かつ、１枚の板状に形成され、上下方向に延びるメインスリットと、前記メインスリットの両脇に設けられ、前記メインスリットに向かって延び、前記メインスリットの手前において湾曲しながら下方に向きを変えて前記メインスリットに沿って延びる一対のサイドスリットと、を有する本体部と、
根元の先端付近にメインピン穴を有する根元部と、前記根元部に設けられ、前記サイドスリットに挿通される一対のサイドピンと、を備える一対のアームと、
前記挿通孔、前記メインスリット、及び前記メインピン穴に挿通されるメインピンと、
を備えるハンガー。
【請求項２】
前記作動部は、
前記挿通孔の上方に指を入れるのに十分な横幅と、前記メインスリットの上下方向の長さと等しいかより長い縦幅を有する第１指孔をさらに備え、
前記本体部は、
前記メインスリットの上方に指を入れるのに十分な大きさを有する第２指孔をさらに備える請求項３に記載のハンガー。
【請求項３】
下方に指を通すのに十分な大きさを有する第１指孔を有するフックと、
前記第１指孔の下方に配置され、指を通すのに十分な大きさを有する長孔、及び前記長孔の下方に配置される前後一対のメインピンを有する作動部と、
前記作動部とは別体、かつ、一対の板状に形成され、上方に指を通すのに十分な大きさを有する第２指孔と、前記第２指孔の下方に配置され、上下方向に延び、前記メインピンが嵌め込まれるメイン溝部と、前記メイン溝部の両脇に設けられ、前記メイン溝部に向かって延び、前記メイン溝部の手前において湾曲しながら下方に向きを変えて前記メイン溝部に沿って延びる一対のサイド溝部と、を有する本体部と、
根元の先端付近に前記メインピンが挿通されるメインピン穴を有する根元部と、前記根元部に設けられ、前記サイド溝部に嵌め込まれる一対のサイドピンと、を備える一対のアームと、
を備えるハンガー。
【請求項４】
フックと、
前記フックの下方に配置され、指を通すのに十分な大きさを有する長孔、前記長孔の下方に配置される前後一対のメインピン、及び前記メインピンの下方に配置され、下方に延びる脚部を有する作動部と、
前記作動部とは別体、かつ、一対の板状に形成され、上方に指を通すのに十分な大きさを有する指孔と、前記指孔の下方に配置され、上下方向に延び、前記メインピンが嵌め込まれるメイン溝部と、前記メイン溝部の両脇に設けられ、前記メイン溝部に向かって延び、前記メイン溝部の手前において湾曲しながら下方に向きを変えて前記メイン溝部に沿って延びる一対のサイド溝部と、を有する本体部と、
根元の先端付近に前記メインピンが挿通されるメインピン穴を有する根元部と、前記根元部に設けられ、前記サイド溝部に嵌め込まれる一対のサイドピンと、を備える一対のアームと、
を備えるハンガー。
【請求項５】
前記サイドスリットは、
前記本体部の両脇の縁において開放される請求項１又は請求項２に記載のハンガー。
【請求項６】
材質に紙を含む請求項１から請求項４のいずれか１項に記載のハンガー。
【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
フックと、
前記フックの根元から下方に延び、下端部に挿通孔を備える作動部と、
前記作動部とは別体、かつ、１枚の板状に形成され、上下方向に延びるメインスリットと、前記メインスリットの両脇に設けられ、前記メインスリットに向かって延び、前記メインスリットの手前において湾曲しながら下方に向きを変えて前記メインスリットに沿って延びる一対のサイドスリットと、を有する本体部と、
根元の先端付近にメインピン穴を有する根元部と、前記根元部に設けられ、前記サイドスリットに挿通される一対のサイドピンと、を備える一対のアームと、
前記挿通孔、前記メインスリット、及び前記メインピン穴に挿通されるメインピンと、
を備えるハンガー。
【請求項２】
前記作動部は、
前記挿通孔の上方に指を入れるのに十分な横幅と、前記メインスリットの上下方向の長さと等しいかより長い縦幅を有する第１指孔をさらに備え、
前記本体部は、
前記メインスリットの上方に指を入れるのに十分な大きさを有する第２指孔をさらに備える請求項１に記載のハンガー。
【請求項３】
下方に指を通すのに十分な大きさを有する第１指孔を有するフックと、
前記第１指孔の下方に配置され、指を通すのに十分な大きさを有する長孔、及び前記長孔の下方に配置される前後一対のメインピンを有する作動部と、
前記作動部とは別体、かつ、一対の板状に形成され、上方に指を通すのに十分な大きさを有する第２指孔と、前記第２指孔の下方に配置され、上下方向に延び、前記メインピンが嵌め込まれるメイン溝部と、前記メイン溝部の両脇に設けられ、前記メイン溝部に向かって延び、前記メイン溝部の手前において湾曲しながら下方に向きを変えて前記メイン溝部に沿って延びる一対のサイド溝部と、を有する本体部と、
根元の先端付近に前記メインピンが挿通されるメインピン穴を有する根元部と、前記根元部に設けられ、前記サイド溝部に嵌め込まれる一対のサイドピンと、を備える一対のアームと、
を備えるハンガー。
【請求項４】
フックと、
前記フックの下方に配置され、指を通すのに十分な大きさを有する長孔、前記長孔の下方に配置される前後一対のメインピン、及び前記メインピンの下方に配置され、下方に延びる脚部を有する作動部と、
前記作動部とは別体、かつ、一対の板状に形成され、上方に指を通すのに十分な大きさを有する指孔と、前記指孔の下方に配置され、上下方向に延び、前記メインピンが嵌め込まれるメイン溝部と、前記メイン溝部の両脇に設けられ、前記メイン溝部に向かって延び、前記メイン溝部の手前において湾曲しながら下方に向きを変えて前記メイン溝部に沿って延びる一対のサイド溝部と、を有する本体部と、
根元の先端付近に前記メインピンが挿通されるメインピン穴を有する根元部と、前記根元部に設けられ、前記サイド溝部に嵌め込まれる一対のサイドピンと、を備える一対のアームと、
を備えるハンガー。
【請求項５】
前記サイドスリットは、
前記本体部の両脇の縁において開放される請求項１又は請求項２に記載のハンガー。
【請求項６】
材質に紙を含む請求項１から請求項４のいずれか１項に記載のハンガー。
【国際調査報告】
2019202863.tif 000031
2019202863.tif 000032
2019202863.tif 000033
2019202863.tif 000034